(57)【要約】【課題】階層型モビリティ管理を使用したＩＰ通信ネットワークにおけるアクセス機器間のハンドオーバーの欠点を改善する。【解決手段】ＩＰ通信ネットワークの呼のハンドオーバー方法は、移動ノードＴ１が第２のアクセスルータＲ２を検出すると、Ｒ２のアドレスプレフィックスをＴ１に伝え、Ｔ１が第２のローカル気付けアドレスを構築するステップと、第２のローカル気付けアドレス、第１の地域気付けアドレス、および二重の一時的なアドレス指定値を有する情報ビットをアンカーポイントＰ１に伝え、Ｐ１が第２のローカル気付けアドレスを格納し、Ｔ１にアドレス指定されたパケットをアクセスルータＲ１およびＲ２に転送するステップと、Ｒ１からＴ１を切断し、Ｐ１で格納されているＴ１の第１のローカル気付けアドレスを削除して、Ｔ１にアドレス指定されたパケットをホームエージェントＥＡ、Ｐ１、およびＲ２を介してＴ１に転送するステップとを含む。【選択図】図１
2007013978.tif 000002
【特許請求の範囲】
【請求項１】
移動機器（Ｔ１）が関与している呼をハンドオーバーする方法であり、該移動機器が、階層型モビリティ管理を使用したインターネットプロトコル（ＩＰ）通信ネットワークに属する、移動機器（Ｔ１）にホームエージェント機能を提供するエージェント機器（ＥＡ）、アンカーポイント（Ｐ１）、および第１の無線アクセス機器（Ｒ１）を介して通信機器（Ｔ２）とのＩＰ呼をセットアップしており、前記移動機器（Ｔ１）が第１のローカルおよび地域気付けアドレスを前記アンカーポイント（Ｐ１）に格納させる、呼をハンドオーバーする方法であって、前記移動機器（Ｔ１）がローミング中に前記アンカーポイント（Ｐ１）に接続されている第２のアクセス機器（Ｒ２）を検出した場合、該方法が以下のステップ、すなわち
１）前記第２のアクセス機器（Ｒ２）のアドレスプレフィックスを前記移動機器（Ｔ１）に伝え、それに基づいて移動機器が第２のローカル気付けアドレスを構築するステップと、
２）前記第２のローカル気付けアドレス、前記第１の地域気付けアドレス、および二重の一時的なアドレス指定を示す値を有する情報ビットを前記アンカーポイント（Ｐ１）に伝え、アンカーポイントが第１の地域気付けアドレスとの対応関係で第２のローカル気付けアドレスを格納し、次いで前記移動機器（Ｔ１）にアドレス指定されたパケットを、前記第１および第２のローカル気付けアドレスによって指定された第１および第２のアクセス機器（Ｒ１、Ｒ２）に転送するステップと
３）第１のアクセス機器（Ｒ１）から前記移動機器（Ｔ１）を切断し、次いで前記アンカーポイント（Ｐ１）で格納されている移動機器（Ｔ１）の第１のローカル気付けアドレスを削除して、移動機器にアドレス指定されたパケットを前記ホームエージェント機器（ＥＡ）、前記アンカーポイント（Ｐ１）、および前記第２のアクセス機器（Ｒ２）を介して移動機器に転送するステップと
の組合せの実行からなることを特徴とする、呼をハンドオーバーする方法。
【請求項２】
ステップ１）において、前記第２のアクセス機器（Ｒ２）が前記移動機器（Ｔ１）に、少なくともそのアドレスプレフィックスを含むルータ通知タイプメッセージを送信することを特徴とする請求項１に記載の方法。
【請求項３】
ステップ１）において、前記移動機器（Ｔ１）が、ステートレス自動構成手順によってその第２のローカル気付けアドレスを構築することを特徴とする請求項１または２のいずれかに記載の方法。
【請求項４】
ステップ２）において、前記移動機器（Ｔ１）が、ローカルバインディング更新タイプメッセージによって、前記第２のローカル気付けアドレス、前記第１の地域気付けアドレス、および前記情報ビットを前記アンカーポイント（Ｐ１）に伝えることを特徴とする請求項１から３のいずれか一項に記載の方法。
【請求項５】
ステップ２）において、前記アンカーポイント（Ｐ１）が、前記第１の地域気付けアドレスとの対応関係で前記第２のローカル気付けアドレスを格納した後、ローカルバインディング承認タイプメッセージを前記移動機器（Ｔ１）に送信することを特徴とする請求項４に記載の方法。
【請求項６】
ステップ３）において、アンカーポイントが第１の地域気付けアドレスとの対応関係で第２のローカル気付けアドレスの記録のみを保持するように、前記移動機器（Ｔ１）が、その第１のローカルおよび地域気付けアドレスを含み、それに対応する記録を削除するよう要求するローカルバインディング更新タイプメッセージを前記アンカーポイント（Ｐ１）に送信することを特徴とする請求項１から５のいずれか一項に記載の方法。
【請求項７】
ステップ３）において、前記アンカーポイント（Ｐ１）が、前記第１の地域気付けアドレスとの対応関係で前記第２のローカル気付けアドレスの記録を削除した後、ローカルバインディング承認タイプメッセージを前記移動機器（Ｔ１）に送信することを特徴とする請求項６に記載の方法。
【請求項８】
移動機器（Ｔ１）が関与している呼をハンドオーバーする方法であり、該移動機器が、階層型モビリティ管理を使用したインターネットプロトコル（ＩＰ）通信ネットワークに属する、移動機器（Ｔ１）にホームエージェント機能を提供するエージェント機器（ＥＡ）、第１のアンカーポイント（Ｐ１）、および第１の無線アクセス機器（Ｒ１）を介して通信機器（Ｔ２）とのＩＰ呼をセットアップしており、前記移動機器（Ｔ１）が第１のローカルおよび地域気付けアドレスを前記第１のアンカーポイント（Ｐ１）および前記ホームエージェント機器（ＥＡ）に格納させる、呼をハンドオーバーする方法であって、前記移動機器（Ｔ１）がローミング中に、それ自体前記ホームエージェント機器（ＥＡ）に接続されている前記ネットワークの第２のアンカーポイント（Ｐ２）に接続されている第２のアクセス機器（Ｒ３）を検出した場合、該方法が以下のステップ、すなわち
１）前記第２のアクセス機器（Ｒ３）のアドレスプレフィックスを前記移動機器（Ｔ１）に伝え、それに基づいて移動機器が第２のローカルおよび地域気付けアドレスを構築するステップと、
２）前記第２のローカルおよび地域気付けアドレスを前記第１のアンカーポイント（Ｐ１）に伝え、アンカーポイントが第２の地域気付けアドレスとの対応関係で第２のローカル気付けアドレスを格納するステップと、
３）前記第２の地域気付けアドレス、前記移動機器（Ｔ１）のＩＰホームアドレス、および二重の一時的なアドレス指定を示す値を有する情報ビットを前記ホームエージェント機器（ＥＡ）に伝えて、ホームエージェント機器が前記ＩＰホームアドレスとの対応関係で前記第２の地域気付けアドレスを格納し、次いで前記移動機器（Ｔ１）にアドレス指定されたパケットを、前記ＩＰホームアドレスとの対応関係で格納された前記第１および第２の地域気付けアドレスによって指定された第１および第２のアンカーポイント（Ｐ１、Ｐ２）に転送するステップと、
４）前記移動機器（Ｔ１）を第１のアクセス機器（Ｒ１）から切断し、次いで前記ＩＰホームアドレスとの対応関係で前記ホームエージェント機器（ＥＡ）に格納されている移動機器（Ｔ１）の第１の地域気付けアドレスを削除して、移動機器にアドレス指定されたパケットを前記ホームエージェント機器（ＥＡ）、前記第２のアンカーポイント（Ｐ２）、および前記第２のアクセス機器（Ｒ３）を介して移動機器に転送するステップと
の組合せの実行からなることを特徴とする、呼をハンドオーバーする方法。
【請求項９】
ステップ１）において、前記第２のアクセス機器（Ｒ３）が前記移動機器（Ｔ１）に、少なくともそのアドレスプレフィックスを含むルータ通知タイプメッセージを送信することを特徴とする請求項８に記載の方法。
【請求項１０】
ステップ１）において、前記移動機器（Ｔ１）が、ステートレス自動構成手順によってその第２のローカルおよび地域気付けアドレスを構築することを特徴とする請求項８または９のいずれかに記載の方法。
【請求項１１】
ステップ２）において、前記移動機器（Ｔ１）が、バインディング更新タイプメッセージによって、前記第２のローカルおよび地域気付けアドレスを前記第２のアンカーポイント（Ｐ２）に伝えることを特徴とする請求項８から１０のいずれか一項に記載の方法。
【請求項１２】
ステップ２）において、前記第２のアンカーポイント（Ｐ２）が、前記第２の地域気付けアドレスとの対応関係で前記第２のローカル気付けアドレスを格納した後、バインディング承認タイプメッセージを前記移動機器（Ｔ１）に送信することを特徴とする請求項１１に記載の方法。
【請求項１３】
ステップ３）において、前記移動機器（Ｔ１）が、バインディング更新タイプメッセージによって、前記第２の地域気付けアドレス、ＩＰホームアドレス、および情報ビットを前記ホームエージェント機器（ＥＡ）に送信することを特徴とする請求項８から１２のいずれか一項に記載の方法。
【請求項１４】
ステップ３）において、前記ホームエージェント機器（ＥＡ）が、前記ＩＰホームアドレスおよび前記第１の地域気付けアドレスとの対応関係で前記第２の地域気付けアドレスを格納した後、バインディング承認タイプメッセージを移動機器（Ｔ１）に送信することを特徴とする請求項１３に記載の方法。
【請求項１５】
ステップ４）において、ホームエージェント機器がＩＰホームアドレスとの対応関係で第２の地域気付けアドレスの記録のみを保持するように、前記移動機器（Ｔ１）が、その第１の地域気付けアドレスおよびそのＩＰホームアドレスを含み、前記第１の地域気付けアドレスの記録を削除するよう要求するバインディング更新メッセージを前記ホームエージェント機器（ＥＡ）に送信することを特徴とする請求項８から１４のいずれか一項に記載の方法。
【請求項１６】
ステップ４）において、前記ホームエージェント機器（ＥＡ）が、前記第１の地域気付けアドレスの記録を削除した後、前記第１の移動機器（Ｔ１）に、バインディング承認タイプメッセージを送信することを特徴とする請求項１５に記載の方法。
【請求項１７】
請求項１から７のいずれか一項に記載のハンドオーバー方法の一部分を実施するよう構成されていることを特徴とする階層型モビリティ管理を使用したインターネットプロトコル（ＩＰ）通信ネットワークのモビリティアンカーポイント（Ｐ１；Ｐ２）。
【請求項１８】
請求項８から１６のいずれか一項に記載のハンドオーバー方法の一部分を実施するよう構成されていることを特徴とする階層型モビリティ管理を使用したインターネットプロトコル（ＩＰ）通信ネットワークのホームエージェント機器（ＥＡ）。
【請求項１９】
階層型モビリティ管理を使用したＭＩＰｖ６タイプの通信ネットワークにおける、請求項１から１８のいずれか一項に記載のハンドオーバー方法、モビリティアンカーポイント（Ｐ１；Ｐ２）およびホームエージェント機器（ＥＡ）の使用。
【発明の詳細な説明】
【技術分野】
【０００１】
本発明は、階層型モビリティ管理（すなわち階層型に構成されたＰＯＰ（ｐｏｉｎｔｓ  ｏｆ  ｐｒｅｓｅｎｃｅ）（ホームエージェント（ＨＡ）としても知られている）およびアンカーポイント（モビリティアンカーポイント（ＭＡＰ）としても知られている）を含む）をサポートするインターネットプロトコル（ＩＰ）通信ネットワークに関し、より詳細には、少なくとも１つの移動（通信）機器が関与するこれらのネットワークのアクセス機器間のハンドオーバー（呼の転送）に関する。
【背景技術】
【０００２】
この文脈では、「ＩＰネットワーク」という表現は、アクセスルータなど、ノードを形成するアクセス機器によって相互接続されたＩＰネットワークのサブセット（またはＩＰサブネットワーク）の連合体を指す。
【０００３】
この文脈では、「階層型モビリティ管理を使用したＩＰネットワーク」という表現は、移動機器（またはノード）と通信機器との間の呼が、ホーム（またはネイティブ）ルータなど、移動機器にホームエージェント（ＨＡ）（またはネイティブの）機能を提供するエージェント機器、ルータなどのモビリティアンカーポイント（ＭＡＰ）、アクセスルータなどの無線アクセス機器を介して行われるＩＰネットワークを指す。
【０００４】
この文脈で、「移動通信機器」という表現および「移動ノード」という表現は、例えば通信モジュールを備える移動電話、ラップトップコンピュータ、携帯情報端末（ＰＤＡ）など、別の通信機器またはサブネットワークと信号形式のデータを交換するために、そのホーム（サブ）ネットワーク（サブネット）（またはネイティブサブネットワーク）、またはリモート（または外部のまたは外的な）サブネットワークまたは訪問先ネットワーク（ｖｉｓｉｔｅｄ  ｎｅｔｗｏｒｋ）と呼ばれる他のサブネットワークに接続することができる任意の移動（または携帯）無線通信機器（以下移動機器と呼ぶ）を指す。
【０００５】
ＩＰネットワークと接続する各移動機器は、それが通常接続されるホーム（サブ）ネットワークのプレフィックスに対応するＩＰホームアドレス（またはＩＰネイティブまたはパーマネントアドレス）を有する。移動機器がそのホームネットワークに接続されると、それに送信されるデータパケット（またはデータグラム）は、標準のホップバイホップタイプのルーティングプロトコルを使用してそのＩＰホームアドレスに直接送信される。移動機器は、ローミング中であり、リモート（または外部の）サブネットワークと接続したいとき、例えばステートフルまたはステートレスの自動構成などの標準ＩＰｖ６機構によって、ＩＰネットワークによって提供されるアドレスプレフィックスから構成される、気付けアドレスとして知られている、ローカルおよび地域（ｒｅｇｉｏｎａｌ）の気付け（ｃａｒｅ−ｏｆ）（または補足）アドレスでそれ自体を構成する必要がある。これらの気付けアドレスは、移動機器とそのホームエージェントとの間で行われるバインディング更新手順時にＩＰホームアドレスに関連付けられていなければならない。
【０００６】
移動機器に常に連絡をとることができることを確実にし、特にアクセスルータ間の転送（ハンドオーバー）の段階中、進行中の移動機器の呼の連続性を確保するために、ＩＰネットワークにはＭＩＰｖ６など上記のＩＰモビリティプロトコルが存在することを、当業者であれば知っている。したがって、これらのプロトコルによって、移動機器は、ハンドオーバー中にインターネットへの接続を維持し、そのアクセス（または接続）ポイントを変更した後で他の機器と引き続き通信することができる。しかし、これらのプロトコルはプロトコル操作およびシグナリングの交換を必要とし、これによって移動機器が既にデータパケット（またはデータグラム）を送受信することができない段階がもたらされる。
【０００７】
ＭＩＰｖ６の高速バージョンＦＭＩＰｖ６は、パケットの交換ができないこの段階の持続時間を制限するために提案されたが、すなわちマイクロモビリティ状況（モビリティが単一サイト（またはアンカーポイント）に制限され、したがってローカルの移動によって特徴付けられる）である、同じモビリティアンカーポイントに接続された第１のアクセス機器と第２のアクセス機器との間のハンドオーバーのためだけのものである。したがって、すなわちマクロモビリティ状況である、それぞれ第１のモビリティアンカーポイントおよび第２のモビリティアンカーポイントに接続されている第１のアクセス機器と第２のアクセス機器との間のハンドオーバーに適用することができない。さらに、ＦＭＩＰｖ６は、トラフィックの一部分しか転送できず、一方ではハンドオーバー中にパケットを交換することができない段階の持続時間を充分に制限せず、他方ではパケットの損失をもたらし得る。
【特許文献１】欧州特許第１４３４３９６号明細書
【非特許文献１】Ｋａｒｉｍ  Ｅｌ  Ｍａｌｋｉら：“Ｓｉｍｕｌｔａｎｅｏｕｓ  Ｂｉｎｄｉｎｇｓ  ｆｏｒ  Ｍｏｂｉｌｅ  ＩＰｖ６  Ｆａｓｔ  Ｈａｎｄｏｖｅｒｓ”  ＩＥＴＦ  ＳＴＡＮＤＡＲＤ−ＷＯＲＫＩＮＧ−ＤＲＡＦＴ，ＩＮＴＥＲＮＥＴ  ＥＮＧＩＮＥＥＲＩＮＧ  ＴＡＳＫ  ＦＯＲＣＥ，ＩＥＴＦ，ＣＨ，ｎｏ．３，２００３年５月，ＸＰ０１５０１２８７８  ＩＳＳＮ：００００−０００４
【発明の開示】
【発明が解決しようとする課題】
【０００８】
したがって、本発明の目的は、上記の欠点を改善することである。
【課題を解決するための手段】
【０００９】
このために、本発明は、階層型モビリティ管理を使用したインターネットプロトコル（ＩＰ）通信ネットワークにおいて移動機器にホーム（またはネイティブ）エージェント機能を提供するホームエージェント機器にそれ自体接続されている同じモビリティアンカー機器（またはポイント）に接続されている第１の無線アクセス機器と第２の無線アクセス機器との間で（マイクロモビリティ状況において）少なくとも１つの移動機器が関与している呼をハンドオーバーする第１の方法を提案する。
【００１０】
この第１の方法は、移動機器がホームエージェント機器、アンカーポイント、および第１の無線アクセス機器を介して別の通信機器とのＩＰ呼を確立するたびに、ローミング中の移動機器がアンカーポイントに接続されている第２の無線アクセス機器を検出した場合、該方法が以下のステップ、すなわち
１）第２のアクセス機器のアドレスプレフィックスを移動機器に伝え、それに基づいて移動機器が第２のローカル気付けアドレスを構築するステップと、
２）第２のローカル気付けアドレス、第１の地域気付けアドレス、および二重の一時的なアドレス指定（ｄｏｕｂｌｅ  ｔｅｍｐｏｒａｒｙ  ａｄｄｒｅｓｓｉｎｇ）を示す値を有する情報ビットをアンカーポイントに伝え、アンカーポイントが第１の地域気付けアドレスとの対応関係で第２のローカル気付けアドレスを格納し、次いで移動機器にアドレス指定されたパケットを、第１および第２のローカル気付けアドレスによって指定された第１および第２のアクセス機器に転送するステップと
３）第１のアクセス機器から移動機器を切断し、次いでアンカーポイントに格納されている移動機器の第１のローカル気付けアドレスを削除して、移動機器にアドレス指定されたパケットをホームエージェント機器、アンカーポイント、および第２のアクセス機器を介して移動機器に転送するステップと
の組合せの実行からなることを特徴とする。
【００１１】
本発明の第１の方法は、特に、個別に、または組合せで、以下の他の特徴を有し得る。
・ステップ１）において、第２のアクセス機器は、移動機器に、少なくともそのアドレスプレフィックス（またはネットワークアドレス）および好ましくは移動機器が接続されるアンカーポイントのアドレスを含むルータ通知タイプメッセージ（ｒｏｕｔｅｒ  ａｄｖｅｒｔｉｓｅｍｅｎｔ  ｔｙｐｅ  ｍｅｓｓａｇｅ）を送信することができる。
・ステップ１）において、移動機器は、ステートレス自動構成手順によってその第２のローカル気付けアドレスを構築することができる。
・ステップ２）において、移動機器は、ローカルバインディング更新タイプメッセージによって、第２のローカル気付けアドレス、第１の地域気付けアドレス、および情報ビットをアンカーポイントに伝えることができる。次いでアンカーポイントは、第１の地域気付けアドレスとの対応関係で第２のローカル気付けアドレスを格納した後、ローカルバインディング承認タイプメッセージ（ｌｏｃａｌ  ｂｉｎｄｉｎｇ  ａｃｋｎｏｗｌｅｄｇｅｍｅｎｔ  ｔｙｐｅ  ｍｅｓｓａｇｅ）を移動機器に送信することができる。
・ステップ３）において、アンカーポイントが第１の地域気付けアドレスとの対応関係で第２のローカル気付けアドレスの記録のみを保持するように、移動機器は、その第１のローカルおよび地域気付けアドレスを含み、それに対応する記録を削除するよう要求するローカルバインディング更新タイプメッセージをアンカーポイントに送信することができる。次いでアンカーポイントは、第１の地域気付けアドレスとの対応関係で第２のローカル気付けアドレスの記録を削除した後、ローカルバインディング承認タイプメッセージを移動機器に送信することができる。
【００１２】
また、本発明は、階層型モビリティ管理を使用したインターネットプロトコル（ＩＰ）通信ネットワークにおいて移動機器にホーム（またはネイティブ）エージェント機能を提供する同じホームエージェント機器にそれら自体接続されているそれぞれの第１および第２のモビリティアンカー機器（またはポイント）に接続されている第１の無線アクセス機器と第２の無線アクセス機器との間で（マクロモビリティ状況において）少なくとも１つの移動機器が関与している呼をハンドオーバーする第２の方法を提案する。
【００１３】
第２の方法は、移動機器がホームエージェント機器、アンカーポイント、および第１の無縁アクセス機器を介して別の通信機器とのＩＰ呼を確立するたびに、ローミング中の移動機器がそれ自体ホームエージェント機器に接続されている第２のアンカーポイントに接続されている第２のアクセス機器を検出した場合、該方法が以下のステップ、すなわち
１）第２のアクセス機器のアドレスプレフィックスを移動機器に伝え、それに基づいて移動機器が第２のローカルおよび地域気付けアドレスを構築するステップと、
２）第２のローカルおよび地域気付けアドレスを第１のアンカーポイントに伝え、アンカーポイントが第２の地域気付けアドレスとの対応関係で第２のローカル気付けアドレスを格納するステップと、
３）第２の地域気付けアドレス、移動機器のＩＰホームアドレス、および二重の一時的なアドレス指定を示す値を有する情報ビットをホームエージェント機器に伝え、ホームエージェントがＩＰホームアドレスとの対応関係で第２の地域気付けアドレスを格納し、次いで移動機器にアドレス指定されたパケットを、ＩＰホームアドレスとの対応関係で格納された第１および第２の地域気付けアドレスによって指定された第１および第２のアンカーポイントに転送するステップと、
４）移動機器を第１のアクセス機器から切断し、次いでＩＰホームアドレスとの対応関係でホームエージェント機器に格納されている移動機器の第１の地域気付けアドレスを削除して、移動機器にアドレス指定されたパケットをホームエージェント機器、第２のアンカーポイント、および第２のアクセス機器を介して移動機器に転送するステップとの組合せの実行からなることを特徴とする。
【００１４】
本発明の第２の方法は、特に、個別に、または組合せで、以下の他の特徴を有し得る。
・ステップ１）において、第２のアクセス機器は、そのインターフェイスのそれぞれを介して、移動機器に、少なくともそのアドレスプレフィックス（またはネットワークアドレス）および好ましくは移動機器が接続されるアンカーポイントのアドレスを含むルータ通知タイプメッセージを送信することができる。
・ステップ１）において、移動機器は、ステートレス自動構成手順によってその第２のローカルおよび地域気付けアドレスを構築することができる。
・ステップ２）において、移動機器は、バインディング更新タイプメッセージによって、第２のローカルおよび地域気付けアドレスを第２のアンカーポイントに伝えることができる。次いで第２のアンカーポイントは、第２の地域気付けアドレスとの対応関係で第２のローカル気付けアドレスを格納した後、バインディング承認タイプメッセージを移動機器に送信することができる。
・ステップ３）において、移動機器は、バインディング更新タイプメッセージによって、第２の地域気付けアドレス、ＩＰホームアドレス、および情報ビットをホームエージェント機器に送信することができる。次いでホームエージェント機器は、ＩＰホームアドレスおよび第１の地域気付けアドレスとの対応関係で第２の地域気付けアドレスを格納した後、バインディング承認タイプメッセージを移動機器に送信することができる。
・ステップ４）において、ホームエージェント機器がＩＰホームアドレスとの対応関係で第２の地域気付けアドレスの記録のみを保持するように、移動機器は、その第１の地域気付けアドレスおよびそのＩＰホームアドレスを含み、第１の地域気付けアドレスの記録を削除するよう要求するバインディング更新メッセージをホームエージェント機器に送信することができる。次いでホームエージェント機器は、第１の地域気付けアドレスの記録を削除した後、バインディング承認タイプメッセージを第１の移動機器に送信することができる。
【００１５】
また、本発明は、上記の種類の第１のハンドオーバー方法の一部分を実施するように構成されたモビリティアンカーポイントも提案する。
【００１６】
本発明は、さらに、上記の種類の第２のハンドオーバー方法の一部分を実施するように構成されたホームエージェント機器を提案する。
【００１７】
本発明は、ＩＰｖ６（ＩＰ  ｖｅｒｓｉｏｎ  Ｎ°６）タイプのネットワークに特によく適合する。しかし、本発明は、階層型モビリティ管理をサポートするＩＰｖ４タイプのネットワークにも同様に関連する。
【００１８】
本発明の他の特徴および利点は、以下の詳細な説明を、添付の図面と併せ読むと明らかになる。
【発明を実施するための最良の形態】
【００１９】
添付の図面は、本発明の説明の一部分を構成するだけではなく、必要に応じて、本発明の定義に貢献し得る。
【００２０】
本発明の目的は、データパケットの損失を回避し、階層型モビリティ管理（すなわち階層型に構成されたＰＯＰ（ホームエージェント（ＨＡ）およびモビリティアンカーポイント（ＭＡＰ）を含む）を使用したインターネットプロトコル（ＩＰ）通信ネットワークにおいて、別機でもよいモビリティアンカー機器（またはポイント）に接続されている（または取り付けられている）無線アクセス機器間のハンドオーバー中に、移動通信機器（または移動ノード）が既にデータパケットを送受信することができない段階を短縮することである。
【００２１】
以下、そのネットワーク機器およびそれと接続することができる移動通信機器（または移動ノード）など、ＨＭＩＰｖ６（階層型モバイルＩＰｖ６）モビリティ管理プロトコルをサポートする非制限な例として、ＩＰｖ６タイプＩＰネットワークについて考察される。しかし、本発明は、特にバインディングキャッシュの更新に使用されるメッセージを変更することによって、同様にＩＰｖ４タイプのＩＰネットワークにも適用される。
【００２２】
以下非制限の例として検討される移動通信機器（以下移動機器（またはノード）と呼ぶ）は、例えばＷｉＦｉやＷｉＭＡＸなど、ＩＥＥＥ８０２．１ｘタイプの通信モジュールを備える携帯情報端末（ＰＤＡ）である。しかし、本発明は、このタイプの移動機器に限定されない。本発明は、別の（固定または移動）通信機器やサブネットワーク、例えば通信モジュールを備える携帯電話、ルータ、ラップトップコンピュータなどと信号形式のデータを交換するために、そのホーム（サブ）ネットワーク（またはネイティブサブネットワーク）または他のリモートサブネットワーク（または外部サブネットワークまたは訪問先ネットワーク）に接続することができる任意のタイプの移動（携帯）無線通信機器に関する。
【００２３】
本発明のハンドオーバー方法を実施することができる階層型モビリティ管理を使用したＩＰネットワークについて、まず図１を参照して簡単に説明する。
【００２４】
ＩＰネットワークは、ここでは吹き出し表示されたＩＧＰ（内部ゲートウェイプロトコル）によって表され、一般に他のサブネットワーク（またはアクセスネットワーク）が接続される少なくとも１つの移動ノードＴ１のメインサブネットワーク（例えばホーム（またはネイティブ）ネットワーク）を含む、ＩＰネットワークのサブセット（またはＩＰサブネットワーク）の連合体として考えることができる。
【００２５】
この文脈では、「ホーム（またはネイティブ）ネットワーク」という表現は、通常移動ノードＴ１が接続されるサブネットワーク、すなわち移動ノードがそのプレフィックスに対応するＩＰホーム（またはネイティブ）アドレスを有するサブネットワークを指す。
【００２６】
各移動ノードは、例えばそのホームネットワークに属するルータなど、そのホームエージェントを構成するホームエージェント機器ＥＡに関連付けられている。移動ノードのＩＰホームアドレスは、そのホームエージェントによって格納される。ホームエージェント機器ＥＡは一般に、それに関連付けられている移動ノードに関するすべての位置（および場所）情報、すなわちそのノードに関するモビリティデータを格納し、（図１の例のように）移動ノードがそのホームネットワーク以外のリモートＩＰサブネットワーク（または訪問先ネットワーク）に接続しているとき、移動ノードに送信しなければならないデータパケット（またはデータグラム）のトランジットの場所を提供する。
【００２７】
格納されたモビリティデータは、当業者がローカルおよび地域ＩＰ一時アドレス（または補足アドレスまたは気付けアドレス）と呼ぶものを含み得る。これらのＩＰローカル気付けアドレス（ＬＣｏＡ）およびＩＰ地域気付けアドレス（ＲＣｏＡ）は、前記移動ノードＴ１と連絡をとるために、それぞれアクセスルータＲ１（移動ノードＴ１が一時的に接続される）および（モビリティ）アンカーポイントＰ１（アクセスルータＲ１が接続され、移動ノードＴ１のホームエージェントＥＡに接続される）によって使用されるユニキャストタイプのルーティングアドレスである。ホームエージェントは、それに関連付けられている各移動ノードＴ１の地域気付けアドレス（ＲＣｏＡ）のみを知っている。
【００２８】
ＩＰローカル気付けアドレス（ＬＣｏＡ）およびＩＰ地域気付けアドレス（ＲＣｏＡ）は、例えばステートフルまたはステートレスの自動構成など標準ＩＰｖ６機構によって、移動ノードが接続されているアクセスルータの（ＩＰ）アドレスプレフィックスから移動ノードＴ１によって決定される。移動ノードＴ１は、リモートサブネットワークのアクセスルータＲ１に接続されると、そのＩＰホームアドレスとの対応関係でその地域気付ＩＰアドレスＲＣｏＡを格納するために、そのホームエージェントＥＡに通知する必要がある。このために、移動ノードは、モビリティプロトコル（ＭＩＰｖ６）によって管理されるバインディング更新手順を使用する。このＩＰ地域気付けアドレスＲＣｏＡを使用して、ホームエージェントＥＡは、それに関連付けられている移動ノードＴ１に、発呼側ノードＴ２がそのＩＰホームアドレスに送信したデータパケット（またはデータグラム）を送信することができる。より正確には、リモートサブネットワークに一時的に接続された移動ノードＴ１のＩＰホームアドレスに送信された各パケットは、そのホームエージェントＥＡによってインターセプトされ、次いでそのアクセスルータＲ１が接続されているアンカーポイントＰ１を通るトンネルを介し、前記アクセスルータＲ１を通じて、そのＩＰホームアドレスに（そのデータベース内で）関連付けられているＩＰ地域気付けアドレスＲＣｏＡの前記移動ノードＴ１に転送される。
【００２９】
本発明は、第１の移動ノードＴ１が一時的に接続され、それ自体第１の移動ノードＴ１のホームエージェントＥＡに接続される第１のアンカーポイントＰ１に接続される第１のアクセスルータＲ１と、第１の移動ノードＴ１が向けられ、第１のアンカーポイントＰ１（マイクロモビリティ状況）またはそれ自体第１の移動ノードＴ１のホームエージェントＥＡに接続される第２のアンカーポイントＰ２（マクロモビリティ状況）に接続される第２のアクセスルータＲ２またはＲ３との間で行う、移動可能な第１のノードＴ１および第２のノードＴ２（移動ノードとしてもよい）が関与している２つのハンドオーバー方法を提案する。
【００３０】
いずれの方法も、一方では第１の移動ノードＴ１がそのホームエージェントＥＡ、第１のアンカーポイントＰ１、および第１のアクセス機器Ｒ１を介して第２のノードＴ２とのＩＰ呼をセットアップしたとき、他方では第１の移動ノードＴ１がローミング中で第２のアクセス機器Ｒ２またはＲ３を検出したとき、階層型モビリティ管理をサポートするＩＰネットワークで使用することができる。
【００３１】
この段階で、第１の移動ノードＴ１は、ローカル気付けアドレスＬＣｏＡ−１および地域気付けアドレスＲＣｏＡ−１によって構成される。さらに、地域気付けアドレスＬＣｏＡ−１は、一方ではＩＰホームアドレスとの対応関係でホームエージェントＥＡのデータベースに格納され、他方では第１のアンカーポイントＰ１に知られている。さらに、ローカル気付けアドレスＬＣｏＡ−１は、第１のアクセスルータＲ１およびアンカーポイントＰ１に知られている（地域気付けアドレスＲＣｏＡ−１との対応関係で格納された場合）。
【００３２】
本発明の第１の方法は、マイクロモビリティ専用である。これは、以下図２を参照して詳しく説明される連続した３つのステップの組合せから成る。
【００３３】
図２に示すように、第１の方法の動作は、双方向矢印Ｆ９で始まり、矢印Ｆ２２で終わる括弧Ｍ１Ｐによってまとめられる。
【００３４】
矢印Ｆ１からＦ８は、第１の移動ノードＴ１が、第１のモビリティアンカーポイントＰ１を介して前記第１の移動ノードＴ１のホームエージェントＥＡを含むホームネットワークに接続されている第１のアクセスサブネットに属する第１のアクセスルータＲ１と接続する、当業者にはよく知られている標準の接続段階ＣＰを表す。
【００３５】
矢印Ｆ１は、第１のアクセスルータＲ１が第１の移動ノードＴ１に、一般にブロードキャストモードで、アクセスルータＲ１のインターフェイスのそれぞれを介して、そのアドレスプレフィックス（またはネットワークアドレス）、および好ましくは移動ノードが接続されるアンカーポイントのアドレスを含むルータ通知（ＲＡ）タイプメッセージを送信するステップを表す。
【００３６】
このメッセージを受信すると、第１の移動ノードＴ１は、例えばステートレス自動構成手順ＡｕｔｏＣｏｎｆを使用して、第１のローカル気付けアドレスＬＣｏＡ−１および第１の地域気付けアドレスＲＣｏＡ−１を構築するために、メッセージからアドレスプレフィックスを抽出する。
【００３７】
次いで第１のモバイル端末Ｔ１は、その第１のローカル気付けアドレスＬＣｏＡ−１およびその第１の地域気付けアドレスＲＣｏＡ−１を含むローカルバインディング更新メッセージを生成し、アンカーポイントがこれらのアドレスを格納するように、このメッセージを第１のアクセスルータＲ１が接続される第１のアンカーポイントＰ１に送信（Ｆ２）する。このステップで使用されるプロトコルは、好ましくはＨＭＩＰｖ６である。
【００３８】
このメッセージを受信すると、第１のアンカーポイントＰ１は、第１のローカル気付けアドレスＬＣｏＡ−１および第１の地域気付けアドレスＲＣｏＡ−１をそのデータベースに格納する。次いで第１のアンカーポイントＰ１は、これらのアドレスを格納したことを通知するために、第１の移動ノードＴ１へのバインディング承認メッセージを生成する（Ｆ３）。
【００３９】
次いで第１の移動ノードＴ１は、そのホームエージェントＥＡに、その第１の地域気付けアドレスＲＣｏＡ−１およびそのＩＰホームアドレスを含むバインディング更新メッセージを送信する（Ｆ４）。このメッセージを受信すると、ホームエージェントＥＡは、ＩＰホームアドレスとの対応関係で、第１の地域気付けアドレスＲＣｏＡ−１をそのデータベースに格納する。次いでホームエージェントＥＡは、その第１の地域気付けアドレスＲＣｏＡ−１を格納したことを通知するために、第１の移動ノードＴ１へのバインディング承認メッセージを生成する（Ｆ５）。
【００４０】
第１の移動ノードＴ１は、現在そのホームエージェントＥＡおよび第１のアンカーポイントＰ１に登録されているので、第２の（場合によっては移動）ノードＴ２から来るデータパケットを、従来の方法で、そのホームエージェントＥＡ（Ｆ６）、第１のアンカーポイントＰ１（Ｆ７）、および第１のアクセスルータＲ１（Ｆ８）を介して第１の移動ノードに転送することができる。
【００４１】
上述した接続段階ＣＰは、第１および第２の方法に共通であることに留意することは重要である。
【００４２】
本発明の第１の方法の第１のステップ１）は、図２の矢印Ｆ９およびＦ１０によって表される。第１の移動ノードＴ１は、第１のアクセスルータＲ１に接続されている基地局に第１のインターフェイスを介して無線接続によって接続されており、また、同じく第１のアンカーポイントＰ１に接続されている第２のアクセスルータＲ２を検出している（Ｆ９）。第１の移動ノードＴ１は、第２のアクセスルータＲ２に接続されている基地局に十分近い場合、第２のインターフェイスを介してその基地局との無線接続をセットアップする（Ｆ９）ことができ、したがって、そのインターフェイスのそれぞれを介して第２のアクセスルータＲ２によって送信されるルータ通知タイプメッセージを受信する（Ｆ１０）。このメッセージは、そのアドレスプレフィックス（またはネットワークアドレス）、および第１の移動ノードが接続されるアンカーポイント（ここではＰ１）のアドレスを含む。
【００４３】
このメッセージを受信すると、第１の移動ノードＴ１は、例えばステートレス自動構成手順ＡｕｔｏＣｏｎｆを使用して、その第２のローカル気付けアドレスＬＣｏＡ−２およびその第２の地域気付けアドレスＲＣｏＡ−２を構築するために、メッセージからアドレスプレフィックスを抽出する。
【００４４】
第２のステップ２）（矢印Ｆ１１からＦ１６）において、第１のアンカーポイントＰ１に、第２のローカル気付けアドレスＬＣｏＡ−２、第１の地域気付けアドレスＲＣｏＡ−１、およびその値が二重の一時的なアドレス指定を示す情報ビット（Ｓ）が伝えられ、第１のアンカーポイントＰ１は、第１の地域気付けアドレスＲＣｏＡ−１との対応関係でこの第２のローカル気付けアドレスＬＣｏＡ−２を格納し、次いで第１の移動ノードＴ１用のパケットを、第１のローカル気付けアドレスＬＣｏＡ−１および第２のローカル気付けアドレスＬＣｏＡ−２によって指定された第１のアクセスルータＲ１、および第２のアクセスルータＲ２に転送する。
【００４５】
このために、第１の移動ノードＴ１は、第１のアンカーポイントＰ１に、その第２のローカル気付けアドレスＬＣｏＡ−２、その第１の地域気付けアドレスＲＣｏＡ−１、およびその値が例えば二重の一時的なアドレス指定を示す情報ビットＳを含むローカルバインディング更新タイプメッセージを送信する（Ｆ１１）ことができる。この情報ビットＳは、例えばローカルバインディング更新タイプメッセージの「予備」フィールドにあるデータビットである。１に等しいＳの値は、例えば二重の一時的なアドレス指定を示す。このステップで使用されるプロトコルは、好ましくはＨＭＩＰｖ６である。
【００４６】
このメッセージを受信すると、第１のアンカーポイントＰ１は、情報ビットＳの値を分析し、それが（例えば）１に等しい場合、第１の地域気付けアドレスＲＣｏＡ−１との対応関係で第２のローカル気付けアドレスＬＣｏＡ−２をそのデータベースに記録する。次いで第１のアンカーポイントＰ１は、二重の一時的なアドレス指定を記録したことを通知するために、第１の移動ノードＴ１へのバインディング承認タイプメッセージを生成する（Ｆ１２）。
【００４７】
次いで第１のアンカーポイントＰ１は、第１の移動ノードＴ１にアドレス指定されたパケットを、第１のアクセスルータＲ１だけではなく、第２のアクセスルータＲ２にも一時的に転送することができ、これらのルータはいずれも、第１のローカル気付けアドレスＬＣｏＡ−１および第２のローカル気付けアドレスＬＣｏＡ−２によって指定される。この同じデータパケットの二重送信は、図２の矢印Ｆ１３からＦ１６によって示されている。より正確には、ホームエージェントＥＡから第１のアンカーポイントＰ１によって受信され、第１の移動ノードＴ１にアドレス指定されたパケットは、一方では第１のアクセスルータＲ１に転送され（Ｆ１３）て、第１のアクセスルータＲ１がそれらのパケットを第１の移動ノードＴ１に伝え（Ｆ１４）、他方では第２のアクセスルータＲ２に転送され（Ｆ１５）て、第２のアクセスルータＲ２がそれらのパケットを同じ第１の移動ノードＴ１に伝える（Ｆ１６）。これが可能なのは、第１の移動ノードＴ１がその第１および第２のインターフェイスを介して第１および第２のアクセスルータＲ１およびＲ２に既に接続されており、バインディング更新タイプメッセージの交換が、第２のアクセスルータＲ２を通る第１のモバイルネットワークＴ１と第１のアンカーポイントＰ１との間のトンネルが既に作られていることを意味するからである。
【００４８】
第１の移動ノードＴ１が第１および第２のアクセスルータＲ１およびＲ２とデータを交換できるためには、一方では第１の移動ノードＴ１が、場合によっては同じ送／受信アンテナに結合されている２つのダイアログ論理無線インターフェイス（上記を参照）を有しており、また、ローカルバインディング更新タイプメッセージのフィールドに情報ビットＳを統合することができることが必要である。また、モビリティアンカーポイントは、情報ビットＳを分析し、第２のローカル気付けアドレスＬＣｏＡ−２および第１の地域気付けアドレスＲＣｏＡ−１に伴う情報ビットＳの値が二重の一時的なアドレス指定を示すとき、これら２つの地域気付けアドレスＬＣｏＡ−１およびＬＣｏＡ−２によって指定された２つのアクセスルータと並行して同じデータを転送することができるように、同じ地域気付けアドレスＲＣｏＡ−１との対応関係で２つのローカル気付けアドレスＬＣｏＡ−１およびＬＣｏＡ−２を一時的に格納するように構成されている制御装置を有していなければならない。
【００４９】
本発明のモビリティアンカーポイント制御装置は、電子回路、ソフトウェア（または電子データ処理モジュール）または回路とソフトウェアとの組合せの形をとってもよい。
【００５０】
第３のステップ３）（矢印Ｆ１７からＦ２２）において、ハンドオーバーは、まず、第１のアクセスルータＲ１から第１の移動ノードＴ１を切断することによって終了される。このために、第１の移動ノードＴ１の格納された第１のローカル気付けアドレスＬＣｏＡ−１は、第１のアンカーポイントＰ１が第２のアクセスルータＲ２からのみ第１の移動ノードにアドレス指定されたデータパケット（またはデータグラム）を受信するために、第１のアンカーポイントＰ１で削除される。
【００５１】
次いで第１の移動ノードＴ１は、その第１のローカル気付けアドレスＬＣｏＡ−１、その第１地域気付けアドレスＲＣｏＡ−１、およびこれらのアドレスの記録の削除を要求するデータを含む、第１のアンカーポイントＰ１へのローカルバインディング更新タイプメッセージを生成する（Ｆ１８）。このデータは、例えば「ライフタイム」フィールドとすることができ、０の値は、これらのアドレスの記録の削除を要求する。このサブステップで使用されるプロトコルは、好ましくはＨＭＩＰｖ６である。
【００５２】
このメッセージを受信すると、第１のアンカーポイントＰ１は、それ自体第２のローカル気付けアドレスＬＣｏＡ−２との対応関係で格納されている第１の地域気付けアドレスＲＣｏＡ−１との対応関係で格納されている第１のローカル気付けアドレスＬＣｏＡ−１をそのデータベースから削除する。次いで第１のアンカーポイントは、その古い第１のローカル気付けアドレスＬＣｏＡ−１の記録を削除したことを通知するために、第１の移動ノードＴ１へのバインディング承認タイプメッセージを生成する（Ｆ１９）。
【００５３】
第１の移動ノードＴ１は、現在その第２のローカル気付けアドレスＬＣｏＡ−２およびその第１の地域気付けアドレスＲＣｏＡ−１が第１のアンカーポイントＰ１に格納されているので、次に第２の（場合によっては移動）ノードＴ２から来るデータパケットは、従来の方法で、そのホームエージェントＥＡ（Ｆ２０）、第１の地域気付けアドレスＲＣｏＡ−１によって指定される第１のアンカーポイントＰ１（Ｆ２１）、および第２のローカル気付けアドレスＬＣｏＡ−２によって指定される第２のアクセスルータＲ２（Ｆ２２）を介して第１の移動ノードＴ１に転送される。
【００５４】
本発明の第２の方法は、マクロモビリティ専用である。これは、以下図２を参照して詳しく説明される連続した４つのステップの組合せにある。
【００５５】
図２に示すように、第２の方法の動作は、双方向矢印Ｆ２３で始まり、矢印Ｆ４０で終わる括弧Ｍ２Ｐによってまとめられる。
【００５６】
第２の方法の第１のステップ１）は、一方では、第１の移動ノードＴ２が、第１のアンカーポイントＰ１および第１のアクセスルータＲ１からそのホームエージェントＥＡに格納されたとき（すなわち上記の接続段階ＣＰ（矢印Ｆ１からＦ８）が行われた後）、他方では、第１の移動ノードＴ１が、ホームエージェントＥＡに接続されている第２のアンカーポイントＰ２に接続されている第２のアクセスルータＲ３を検出した（Ｆ２３）とき開始する。上述したように、第１の移動ノードＴ１は、第２のアクセスルータＲ３に接続されている基地局に十分近い場合、第２のインターフェイスを介してその基地局との無線接続をセットアップする（Ｆ２３）ことができ、したがって、そのインターフェイスのそれぞれを介して第２のアクセスルータＲ３によって送信されるルータ通知タイプメッセージを受信する（Ｆ２４）。このメッセージは、そのアドレスプレフィックス（またはネットワークアドレス）、および好ましくは第１の移動ノードが接続されるアンカーポイントのアドレスを含む。
【００５７】
このメッセージを受信すると、第１の移動ノードＴ１は、例えばステートレス自動構成手順ＡｕｔｏＣｏｎｆを使用して、第２のローカル気付けアドレスＬＣｏＡ−２および第２の地域気付けアドレスＲＣｏＡ−２を構築するために、メッセージからアドレスプレフィックスを抽出する。
【００５８】
第２のステップ２）（矢印Ｆ２５およびＦ２６）において、第２のローカル気付けアドレスＬＣｏＡ−２および第２の地域気付けアドレスＲＣｏＡ−２が第２のアンカーポイントＰ２に伝えられ、第２のアンカーポイントＰ２が互いとの対応関係でそれらのアドレスをそのデータベースに格納する。
【００５９】
このために、第１の移動ノードＴ１は、第２のアクセスルータＲ３が接続されている第２のアンカーポイントＰ２へのバインディング更新タイプメッセージを生成する（Ｆ２５）ことができ、このメッセージは、第２のアンカーポイントがそのデータベースに格納できるように、その第２のローカル気付けアドレスＬＣｏＡ−２およびその第２の地域気付けアドレスＲＣｏＡ−２を含む。このサブステップで使用されるプロトコルは、好ましくはＨＭＩＰｖ６である。
【００６０】
このメッセージを受信すると、第２のアンカーポイントＰ２は、互いとの対応関係で第２のローカル気付けアドレスＬＣｏＡ−２および第２の地域気付けアドレスＲＣｏＡ−２をそのデータベースに格納する。次いで第２のアンカーポイントはこれらを格納したことを報告するために、第１の移動ノードＴ１へのバインディング承認タイプメッセージを生成する（Ｆ２６）。
【００６１】
第３のステップ３）（矢印Ｆ２７からＦ３４）において、ホームエージェントＥＡに、第２の地域気付けアドレスＲＣｏＡ−２、第１移動ノードＴ１のＩＰホームアドレス、および二重の一時的なアドレス指定を示す値を有する情報ビット（Ｓ）が伝えられ、ホームエージェントは、ＩＰホームアドレスとの対応関係で第２の地域気付けアドレスＲＣｏＡ−２を格納し、次いで第１の移動ノードＴ１にアドレス指定されたパケットを、ＩＰホームアドレスとの対応関係で格納されている第１および第２の地域気付けアドレスＲＣｏＡ−１およびＲＣｏＡ−２によって指定された第１および第２のアンカーポイントＰ１およびＰ２に転送する。
【００６２】
このために、第１の移動ノードＴ１は、例えばその第２の地域気付けアドレスＲＣｏＡ−２、そのＩＰホームアドレス、およびその値が二重の一時的なアドレス指定を示す情報ビット（Ｓ）を含むバインディング更新タイプメッセージをそのホームエージェントＥＡに送信する（Ｆ２７）ことができる。第１の方法と同様に、この情報ビットＳは、例えばバインディング更新タイプメッセージの「予備」フィールドにあるデータビットである。例えば、１に等しいＳの値は、二重の一時的なアドレス指定を示す。このサブステップで使用されるプロトコルは、好ましくはＨＭＩＰｖ６である。
【００６３】
このメッセージを受信すると、ホームエージェントＥＡは、情報ビットＳの値を分析し、それが（例えば）１に等しい場合、それ自体第１の地域気付けアドレスＲＣｏＡ−１との対応関係で格納されているＩＰホームアドレスとの対応関係で第２の地域気付けアドレスＲＣｏＡ−２をそのデータベースに格納する。次いでホームエージェントＥＡは、二重の一時的なアドレス指定を記録したことを通知するために、第１の移動ノードＴ１へのバインディング承認タイプメッセージを生成する（Ｆ２８）。
【００６４】
次いでホームエージェントＥＡは、第１の移動ノードＴ１にアドレス指定されたパケットを、第１のアンカーポイントＰ１だけではなく、第２のアンカーポイントＰ２にも一時的に転送することができ、これらはいずれも、第１および第２の地域気付けアドレスＲＣｏＡ−１およびＲＣｏＡ−２によって指定される。この同じデータパケットの二重転送は、図２の矢印Ｆ２９からＦ３４によって示されている。より正確には、ホームエージェントＥＡによって受信され、第１の移動ノードＴ１にアドレス指定されたパケットは、一方では第１のアンカーポイントＰ１に転送され（Ｆ２９）て、第１のアンカーポイントがそれらのパケットを第１のアクセスルータＲ１に伝え（Ｆ３０）、次いで第１のアクセスルータがそれらのパケットを第１の移動ノードＴ１に伝え（Ｆ３１）、他方では第２のアンカーポイントＰ２に転送され（Ｆ３２）て、第２のアンカーポイントがそれらのパケットを第２のアクセスルータＲ３に伝え（Ｆ３３）、次いで第２のアクセスルータがそれらのパケットを同じ第１の移動ノードＴ１に伝える（Ｆ３４）。これが可能なのは、第１の移動ノードＴ１がその第１および第２のインターフェイスを介して第１および第２のアクセスルータＲ１およびＲ３に既に接続されており、バインディング更新タイプメッセージの交換が第２のアクセスルータＲ３を通る第１の移動ノードＴ１と第２のアンカーポイントＰ２との間のトンネルを既に作っているためである。
【００６５】
上述したように、第１の移動ノードＴ１が第１および第２のアクセスルータＲ１およびＲ２とデータを交換できるためには、一方では第１の移動ノードＴ１が、場合によっては同じ送／受信アンテナに結合されている２つのダイアログ論理無線インターフェイスを有しており、他方では、バインディング更新タイプメッセージのフィールドに情報ビットＳを統合することができることが必要である。また、ホームエージェントＥＡは、情報ビットＳを分析し、第２の地域気付けアドレスＲＣｏＡ−２およびＩＰホームアドレスに伴う情報ビットＳの値が二重の一時的なアドレス指定を示すとき、これら２つの地域気付けアドレスＲＣｏＡ−１およびＲＣｏＡ−２によって指定された２つのアンカーポイントＰ１およびＰ２と並行して同じデータを転送することができるように、同じＩＰホームアドレスとの対応関係で２つの地域気付けアドレスＲＣｏＡ−１およびＲＣｏＡ−２を一時的に格納することができる制御装置を含んでいなければならない。
【００６６】
本発明のホームエージェントＥＡの制御装置は、電子回路、ソフトウェア（または電子データ処理）モジュールまたは回路とソフトウェアとの組合せの形とすることができる。
【００６７】
第４のステップ３）（矢印Ｆ３５からＦ４０）において、ハンドオーバーは、まず、第１のアクセスルータＲ１から第１の移動ノードＴ１を切断することによって終了される。このために、第１の移動ノードＴ１の第１の地域気付けアドレスＲＣｏＡ−１の記録は、ホームエージェントＥＡが第２のアクセスルータＲ２を介して第２のアンカーポイントＰ２からのみ第１の移動ノードにアドレス指定されたデータパケット（またはデータグラム）を受信するために、ホームエージェントＥＡで削除される。
【００６８】
次いで第１の移動ノードＴ１は、その第１の地域気付けアドレスＲＣｏＡ−１、そのＩＰホームアドレス、およびこれらのアドレスの記録の削除を要求する情報を含む、ホームエージェントＥＡへのバインディング更新タイプメッセージを生成する（Ｆ３６）。第１の方法と同様に、この情報データは、例えば「ライフタイム」フィールドにあってもよく、０の値は、格納されているアドレスの削除を要求する。このサブステップで使用されるプロトコルは、好ましくはＨＭＩＰｖ６である。
【００６９】
このメッセージを受信すると、ホームエージェントＥＡは、それ自体第２の地域気付けアドレスＲＣｏＡ−２との対応関係で格納されているＩＰホームアドレスとの対応関係で格納されている第１の地域気付けアドレスＲＣｏＡ−１をそのデータベースから削除する。次いでホームエージェントは、格納されている古い第１の地域気付けアドレスＲＣｏＡ−１を削除したことを通知するために、第１の移動ノードＴ１へのバインディング承認タイプメッセージを生成する（Ｆ３７）。
【００７０】
第１の移動ノードＴ１は、現在その第２の地域気付けアドレスＲＣｏＡ−２がそのホームエージェントＥＡに格納されているので、第２の（場合によっては移動）ノードＴ２から来るデータパケットは、そのホームエージェントＥＡ（Ｆ３８）、第２の地域気付けアドレスＲＣｏＡ−２によって指定された第２のアンカーポイントＰ２（Ｆ３９）、および第２のローカル気付けアドレスＬＣｏＡ−２（サブステップＦ２５の後Ｒ３に格納された）によって指定された第２のアクセスルータＲ３（Ｆ４０）を介した従来の方法では転送されない。
【００７１】
上述した第１および第２の方法は、マイクロモビリティ状況およびマクロモビリティ状況をカバーするために、階層型モビリティ管理を使用した同じＩＰネットワークに共存していてもよいことに留意することは重要である。これは、移動ノードが、ローカルバインディング更新タイプメッセージおよびバインディング更新タイプメッセージに、二重の一時的なアドレス指定を示す情報ビット（Ｓ）を統合するように構成されることを必要とする。これはさらに、本発明によって構成されたホームエージェントが、同じく本発明によって構成されたモビリティアンカーポイントと共存することを必要とする。
【００７２】
本発明は、ほんの一例によって上述されたハンドオーバー方法、ホームエージェント機器、およびモビリティアンカーポイントの実施形態に限定されず、当業者が添付の特許請求の範囲内に含むことを予想し得るすべての変形形態を含む。
【図面の簡単な説明】
【００７３】
【図１】階層型モビリティ管理を使用した本発明のＩＰネットワークの一部分を示す図である。
【図２】図１に示された階層型モビリティ管理を使用したＩＰネットワークにおいて本発明の第１および第２のハンドオーバー方法の例を実施する主な操作を示す図である。
【符号の説明】
【００７４】
Ｔ１  移動ノード
Ｔ２  発呼側ノード
ＥＡ  ホームエージェント機器
ＬＣｏＡ  ローカル気付けアドレス
ＲＣｏＡ  地域気付けアドレス
Ｐ１、Ｐ２  アンカーポイント
Ｒ１、Ｒ２、Ｒ３  アクセスルータ
ＣＰ  接続段階
【図１】
2007013978.tif 000003
【図２】
2007013978.tif 000004
【外国語明細書】
2007013978.tif 000005
2007013978.tif 000006
2007013978.tif 000007
2007013978.tif 000008
2007013978.tif 000009
2007013978.tif 000010
2007013978.tif 000011
2007013978.tif 000012
2007013978.tif 000013
2007013978.tif 000014
2007013978.tif 000015
2007013978.tif 000016
2007013978.tif 000017
2007013978.tif 000018
2007013978.tif 000019
2007013978.tif 000020
2007013978.tif 000021
2007013978.tif 000022
2007013978.tif 000023
2007013978.tif 000024
2007013978.tif 000025
2007013978.tif 000026
2007013978.tif 000027
2007013978.tif 000028